(57)【要約】      （修正有）【課題】装着の確実性と装着時の不快感を和らげ、締め付けを和らげゆったり感を重視したフェイスカバーを提供する。【解決手段】フェイスカバーは、筒状に形成した布製の本体１からなり、目の下から耳部及び首部を覆う上下巾を有する。係止部位となる筒状本体１の上端部１１の周囲に弾性紐体２を備える。弾性紐体２は顔の前面部位で襞の生じない僅かの伸縮幅に規制され、顔の側部から後頭部の間は伸縮幅に制約なく、筒状本体１の上端部内周の長さを調節可能とした。【選択図】図２
0003229598.tif 000002
【実用新案登録請求の範囲】
【請求項１】
筒状に形成した布製の本体からなり、目の下から耳部及び首部を覆う上下巾を有し、係止部位となる筒状本体の上端部周囲に弾性紐体を備え、弾性紐体は顔の前面部位で襞の生じない僅かの伸縮幅に規制され、顔の側部から後頭部の間は伸縮幅に制約なく筒状本体の上端部内周の長さを調節可能としたことを特徴とするフェイスカバー。
【請求項２】
側方下部に切り込みが形成されており、肩に本体下部がかかるのを防止することを特徴とする請求項１に記載のフェイスカバー。
【請求項３】
後頭部の上端部からスリットが形成されていることを特徴とする請求項１又は２に記載のフェイスカバー。
【考案の詳細な説明】
【技術分野】
【０００１】
本考案はフェイスカバーに関するものであり、締め付け感を和らげゆったり感を重視することを目的とする。
【背景技術】
【０００２】
従来のこの種のフェイスカバーにおいて、例えば実用新案登録第３０２９８１１号公報は、少なくとも鼻および口を覆う本体と、本体２内側の少なくとも口に対応する位置に設けられ、着用者に直接接触する接触部と、を備え、本体と接触部との間には、通気性のある空間が形成されているものが開示されている。
【０００３】
また、実用新案登録第３１５４６６８号公報では、マスクは、マスク本体と、このマスク本体を着用者の顔に固定する固定手段とを有する。マスク本体は、伸縮性を有する素材（生地）によって筒状に形成する。このマスク本体は、その周方向の全周に亘って、筒心方向に沿う長さが一定になっているものが開示されている。
【０００４】
また、特開２０１３−１００６２４号公報では、顔面の目の下から鼻までの部分及び耳部分を覆う上部保温布と、顔面の鼻と耳から下の部分及び首周りを覆う筒状の下部保温布とを接合して構成し、上部保温布の接合部分の一部にたるみを持たせて鼻の形に沿った隆起部を形成すると共に、その下方に呼気排出用開口部を形成し、上部保温布の内側に上部保温布を耳に取り付け固定する固定紐を設けるものが開示されている。
【先行技術文献】
【特許文献】
【０００５】
【特許文献１】実用新案登録第３０２９８１１号公報
【特許文献２】実用新案登録第３１５４６６８号公報
【特許文献３】特開２０１３−１００６２４号公報
【考案の概要】
【考案が解決しようとする課題】
【０００６】
上記のようにフェイスカバーはマスク、防暑・防寒等の多様な用途として活用され、長時間の装着が予想されるものである。
したがって、装着の確実性と装着時の不快感を和らげる工夫が望まれ、本考案は締め付け感を和らげゆったり感を重視したフェイスカバーを提供することを目的とする。
【課題を解決するための手段】
【０００７】
本考案に係る請求項１のフェイスカバーは、筒状に形成した布製の本体からなり、目の下から耳部及び首部を覆う上下巾を有し、係止部位となる筒状本体の上端部周囲に弾性紐体を備え、弾性紐体は顔の前面部位で襞の生じない僅かの伸縮幅に規制され、顔の側部から後頭部の間は伸縮幅に制約なく筒状本体の上端部内周の長さを調節可能としたことを特徴とするものである。
【０００８】
請求項２のフェイスカバーの考案は、請求項１の考案において、側方下部に切り込みが形成されており、肩に本体下部がかかるのを防止することを特徴とするものである。
【０００９】
請求項３のフェイスカバーの考案は、請求項１又は２の考案において、後頭部の上端部からスリットが形成されていることを特徴とするものである。
【考案の効果】
【００１０】
本考案のフェイスカバーを装着すると、筒状に形成した布製の本体が、目の下から耳部及び首部を覆うこととなり、感冒用マスクとして、また耳を含む顔の要部と首部の広範囲における虫刺され防止、防暑・防寒の効果を得られ、顔、首回りだけでなく、肩にかけてゆったりとした使用感となる。
【００１１】
係止部位となる筒状本体の上端部周囲に備える弾性紐体は、顔の前面部位に接する部分で襞の生じない僅かの伸縮幅に規制されているため、皴の発生を防ぎ、皴によるごつごつした不快感を生じることなく快適な接着となる効果を得られる。
筒状本体の上端部内周の長さ調節は、弾性紐体の伸縮幅に制約がない顔の側部から後頭部の間で行うことで可能となり、この間で皴が発生することが想定されるけれど、この皴で布が耳に密着するのを防止する効果も期待できる。
【００１２】
装着を中断する時は首まで下ろし、持ち上げて戻すことで簡単に使用の継続ができ、前を捲って食事や飲水も可能である。
また、本体の下部が閉じられていないので、通気性を確保し、息苦しさや圧迫感を防止する効果がある。
【００１３】
側方下部に切り込みが形成されており、本体の下部が肩の前後に分かれて垂下するため、肩にかかって本体下部が持ち上がるのを防止することができ、後頭部の上端部から形成されたスリットを開いて、束ねた後ろ髪を挿通して逃がすことができる。
【図面の簡単な説明】
【００１４】
【図１】本考案の一実施の態様を示す側面図である。
【図２】使用時における本体を開いた状態の斜視図である。
【図３】使用の状態を示す斜視図である。
【考案を実施するための形態】
【００１５】
本考案のフェイスカバーを図面に基づいて説明する。
図１は本考案の一実施の形態を示す側面図、図２は同斜視図、図３は同使用状態を示す斜視図である。
【００１６】
フェイスカバーは、筒状に形成した布製の本体１から成り、目の下から耳部及び首部を覆う上下巾を有し、係止部位となる筒状本体１の上端部１１の周囲に弾性紐体２を備え、弾性紐体２は、顔の前面部位で襞の生じない僅かの伸縮幅に規制され、顔の側部から後頭部の間は弾性紐体２の伸縮幅に制約がなく、筒状本体１の上端部１１の内周の長さ（サイズ）を調節可能としている。
側方下部に三角形状の切り込み３、また、後頭部の上端からスリット４が形成されている。
【００１７】
本体１は、横長の矩形の生地からなり、水平方向に丸めて短辺の両端部を接合し、該部分を縫合１２して筒状（環状）に形成されている。
生地はＵＶカット加工され、ポリエステル、紫外線をカットする性能のあるものが好ましい。
前記縫合１２は、上端部近傍を除いてされており、非縫合部分はスリット４となって、通常は閉じた状態であるけれど、物理的に開くことが可能であり、装着時に、束ねた髪を通して外部へ引き出しておくことができる。
【００１８】
筒状の本体１の上端部１１は、周囲に袋帯条体１３が形成され、内部に平ゴム等の弾性紐体２が挿通されている。
挿通した弾性紐体２の両端部は、前記スリット４から現出し、例えば、戻り止め用のビニール環５に同一方向から通して結着して固定するもので、弾性紐体２を利用して上端部１１の内周の大きさ（サイズ）を調整可能となっている。
これは、フェイスカバーの装着時に、本体１の上端部１１の筒状周囲を、使用者に合わせて、目の下から耳の上部及び後頭部に至る部位に係止できるようにするためである。
【００１９】
また、挿通した弾性紐体２は、顔の前面と側面の境目辺りに、弾性紐体２の伸縮を制限する糸綴じ６，６がされている。
糸綴じ６は、糸綴じ６，６の間の上端部１１を伸ばした状態での該当部分と、糸綴じ６，６間の弾性紐体２を自然に緊張した状態での該当部分とを縫着して綴じたものである。
【００２０】
したがって、この糸綴じ６，６間では、挿通した弾性紐体２の伸長は勿論、短縮も阻止され、本体１も伸びたままの皴が生じない状態で、顔の前面と側面の境目辺りに当接することになる。
そのため、鼻や顔の全面に接する部分に皴が当たって、ごつごつする不快感を解消させる作用を奏するものである。
【００２１】
他方、糸綴じ６，６からの後方の部分は、弾性紐体２の伸縮に制約がないため、本体１の上端部１１を装着者に合わせて、内周の大きさ（サイズ）を調整するのであり、弾性紐体２の伸縮で上端部１１に皴１４が生じることが想定される。
しかし、皴との接触でも、顔の前面部のように肌に直接触れるものでないため、皴との接触は気にならず、布が耳に密着するのを皴で防ぐ作用も奏する。
【００２２】
左右の側面下部に切り込み３，３を設けてあり、前面側部は胸に垂下させ、後面側部は肩と首の後側を覆うようにした。
本体１の下部が前後に分かれて垂下し、肩に本体下部がかかって前後側の下部が持ち上がるのを防止する作用を奏する。
【００２３】
以上、本考案を図面に基づいて説明した実施の形態における上記の具体的な構成は一例であり、同様の作用効果を得られる構成または手段を排除するものではない。
【符号の説明】
【００２４】
１    本体
２    弾性紐体
３    切り込み
４    スリット
５    戻り止め用のビニール環
６    糸綴じ
１１  上端部
１２  縫合
１３  袋帯条体
１４  皴
【図１】
0003229598.tif 000003
【図２】
0003229598.tif 000004
【図３】
0003229598.tif 000005